Podtech/llm-jp-corpus-v4-ja_patent huggingface dataset:
【手続補正書】
【提出日】平成19年6月1日(2007.6.1)
【手続補正１】
【補正対象書類名】明細書
【補正対象項目名】００１３
【補正方法】変更
【補正の内容】
【００１３】
従来技術の型フライヤーが遭遇する別の問題は、進化している調理製品形状を収容することが可能な下部コンベアを提供することが困難なことである。油揚げされる製品は典型的には、ある形状でフライヤーに入るとともに、別の形状でフライヤーを出るので、プリフォーム及び調理済み製品の両方の形状を収容可能な製品容器を備えるように従来技術の下部コンベアを構成することは困難である。
【特許文献１】米国特許第４３０８２８６号明細書
【特許文献２】米国特許第４１８７７７１号明細書
【特許文献３】米国特許第３７６３７６４号明細書
【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
車両フェンダー（１０，２０）のための支持担体（２）であって、支持担体（２）が少なくとも２つの互いにずれた連結範囲（１４，２４）を備え、そこに少なくとも２つの異なるフェンダー（１０，２０）が取り付け可能であり、当該フェンダーが、フェンダー（１０，２０）に直接境を接するそれぞれ異なったボンネット（１１，２１）を備えた複数の車両バージョンに割り当てられている、支持担体において、
或る車両バリエーションでフェンダー（２０）の連結が、他の車両バージョンよりも、低く且つ広めに外側に位置させるように、連結範囲（１４，２４）が互いに車両の高さ方向及び／又は幅方向にずれていることを特徴とする支持担体。
【請求項２】
支持担体（２）が、上端部分の取り付けのために、少なくとも２つの異なるフェンダー（１０，２０）を形成していることを特徴とする請求項１に記載の支持担体。
【請求項３】
連結範囲（１４，２４）が階段状に段をつけられていることを特徴とする請求項１又は２に記載の支持担体。
【請求項４】
連結範囲（１４，２４）がほぼ水平に延びることを特徴とする請求項１〜３のいずれか一項に記載の支持担体。
【請求項５】
多数の車両バージョンにして、
−各車両バージョンが請求項１〜４のいずれか一項に記載の支持担体（２）を有すること、
−車両バージョンがそれぞれ異なったフェンダー（１０，２０）と、当該フェンダー（１０，２０）に、特にフェンダー（１０，２０）の上端範囲に直接境を接するそれぞれ異なったボンネット（１１，２１）とを有すること、
−車両バージョン毎にフェンダー（１０，２０）が支持担体（２）の異なった連結範囲（１４，２４）に連結されていること、
その結果、個々の車両バージョンがフェンダー（１０，２０）とボンネット（１１，２１）の間で継ぎ目の延び具合が異なっており、
−車両バージョン「リムジン」ではフェンダー（１０）とボンネット（１１）が高めの構造形態をし、
−車両バージョン「クーペ」では低めに付けられたフェンダー（２０）及び対応して合わせられたボンネット（２１）となる、
車両バージョン。
【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
切断された細長いストランドを有するウェブ構造体の製造方法であって、
２つの対向した主面を含み、前記２つの対向した主面の一方の主面上に交互に並ぶリッジおよび溝を含む裏材を提供することと；
前記交互に並ぶリッジおよび溝の２つ以上のリッジに複数の細長いストランドを取り付けることと；
前記２つ以上のリッジの間の位置で前記複数の細長いストランドを切断して、切断された細長いストランドを形成することとを含む方法。
【請求項２】
締結要素の製造方法であって、
２つの対向した主面を含み、前記２つの対向した主面の一方の主面上に交互に並ぶリッジおよび溝を含む裏材を提供することと；
前記交互に並ぶリッジおよび溝の２つ以上のリッジに複数の細長いストランドを取り付けるものであって、前記裏材の前記主面の少なくとも一方に前記複数のストランドを取り付けることと；
前記２つ以上のリッジの間の位置で前記複数の細長いストランドを切断して締結要素を形成するものであって、各締結要素が、前記裏材に取り付けられたアンカー部分と、前記アンカー部分から突出する少なくとも１つの切断された細長いストランドと、前記少なくとも１つの細長いストランド上の切断された遠位先端とを含むこととを含む方法。
【請求項３】
フックループファスナーとともに使用するための締結ステムの製造方法であって、
裏材を波形成形して、前記裏材の第１の主面上に複数の交互に並ぶリッジおよび溝を形成することと；
前記裏材の前記第１の主面上に複数の細長いストランドを押し出すものであって、前記複数の細長いストランドのそれぞれがアンカー部分で前記裏材に取り付けられ、前記複数の交互に並ぶリッジおよび溝の前記リッジの一部またはすべての上またはその付近に前記アンカー部分があり、前記複数の細長いストランドのほとんどまたはすべてが、前記複数の交互に並ぶリッジおよび溝の溝にわたって広がることと；
前記複数の交互に並ぶリッジおよび溝の隣接するリッジの間で前記複数の細長いストランドを切断するものであって、複数の切断された細長いストランドが形成されることと；
前記裏材を平坦化するものであって、前記複数の切断された細長いストランドが、前記裏材に取り付けられた締結ステムを形成することとを含む方法。
【請求項４】
第１の主面上に複数の交互に並ぶリッジおよび溝を含む裏材と、
前記複数の交互に並ぶリッジおよび溝の２つ以上のリッジに取り付けられた複数の切断された細長いストランドとを含むウェブ構造体。
【請求項５】
第１の主面を含む裏材と、
前記裏材の前記第１の主面上に連続した列で配列した複数の切断された細長いストランドとを含み、前記切断された細長いストランドのそれぞれが、前記裏材の前記第１の主面に取り付けられたアンカー部分から突出しており、前記切断された細長いストランドのそれぞれが、切断された遠位先端を含むウェブ構造体。
【手続補正書】
【提出日】平成18年12月4日(2006.12.4)
【手続補正１】
【補正対象書類名】明細書
【補正対象項目名】００１１
【補正方法】変更
【補正の内容】
【００１１】
本発明の方法の第１の態様によれば、負荷を高輝度放電ランプとすることができる。この場合、第１の一連のランプパルスを供給して、ランプを点灯し、次に第２の一連のパルスを供給して、電極加熱フェーズの間、ランプを動作させる。
第１の一連のランプパルスは、３ｋＶと４ｋＶとの間の電圧レベルを典型的に有し、一方、電極のウォームアップ・フェーズの間のランプ電圧は、非常に低い電圧と２５０Ｖとの間を典型的に変化できる。電極のウォームアップ・フェーズの間に、十分なエネルギーを供給するためには、小さいオフ時間を有する回路を用いることが有益である。このことは、１次側の電流パスを流れる電流は、かなり急速に減少しなければならないことを意味している。上述したように、前記ダイオードに抵抗を直列に付加して、このような効果を得ることができる。
本発明は、また、本発明の電力供給回路のパラメータを最適化する方法に関する。この方法は、
共振回路の最大発振周期を、負荷が接続されたときに、２次側のキャパシタンスの最大値に基づいて決定し、
スイッチのオン時間を、発振周期の１／２よりも大きくなるように選ぶ。
出力電圧の最小発振周波数ωＯ，ＭＩＮは、漂遊インダクタンスＬ２Ｘと、最大の特定出力キャパシタンスＣＯＵＴ，ＭＡＸとによって決定され、次式によって与えられる。
【数１】
2006513540.tif 000001
出力キャパシタの値とは無関係に、最大出力電圧に達するには、電圧パルスの期間ＴＯＮは、最大発振周期ＴＯ＝２π／ωＯ，ＭＩＮの少なくとも１／２でなければならない。
電力供給回路のパラメータを最適化する方法の他の態様によれば、スイッチのオフ時間を、ダイオードを流れる電流をほぼ０に低減させるのに必要な時間よりも大きくなるように選ぶ。
【手続補正２】
【補正対象書類名】明細書
【補正対象項目名】００３７
【補正方法】変更
【補正の内容】
【００３７】
図９において、ダイオード１７を流れる電流が、時間に対してプロットされている。ｙ軸のスケールは、２Ａ／目盛である。時間は、２μｓ／目盛でｘ軸に沿って示されている。ダイオード電流は、ｅのマイナス累乗に従って減少するインダクタ７を流れる電流と、１次巻線に誘起される２次巻線を流れる発振電流との和である。
【手続補正３】
【補正対象書類名】明細書
【補正対象項目名】００４１
【補正方法】変更
【補正の内容】
【００４１】
図１２において、最大出力電圧ＶＯＵＴ，ＭＡＸが、時間に対してプロットされている。本発明の点灯回路は、以下の２つのフェーズのランプ動作において用いることができる。２つのランプ動作は、最大出力電圧が２＊ＶＳＵＰ＊ｎによって与えられる（典型的には３〜４ｋＶである）点灯フェーズと、ランプ電極のウォームアップ・フェーズとである。このウォームアップ・フェーズでは、出力電圧は、図１２に６３で示すように、非常に低い電圧と２００〜２５０Ｖとの間で、典型的に変動する。図１２に示される第３の期間６４は、立上りフェーズと、正常動作フェーズとを表している。この第３の期間では、フォワード・インバーティング段３によって、ランプに電圧が供給される。ランプのウォームアップ・フェーズの間に、本発明の点灯回路を用いることは、フォワード・インバーティング段の開路電圧を、低減できるという利点を有している。フォワード・インバーティング段の電力構成要素の選択は、この低電源電圧により利益を得ることが明らかである。
【手続補正書】
【提出日】平成18年12月12日(2006.12.12)
【手続補正１】
【補正対象書類名】特許請求の範囲
【補正対象項目名】請求項９
【補正方法】変更
【補正の内容】
【請求項９】
有機化合物が、リン酸ジエステルであることを特徴とする、請求項８に記載の膜電極接合体。
【手続補正２】
【補正対象書類名】特許請求の範囲
【補正対象項目名】請求項１０
【補正方法】変更
【補正の内容】
【請求項１０】
リン酸ジエステルが、ジ−（２−エチルヘキシル）リン酸エステルおよび／またはジフェニルリン酸エステルであることを特徴とする、請求項９に記載の膜電極接合体。
【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
注入フリーエンハンスメントモード金属酸化膜半導体電界効果トランジスタ（ＥＭＯＳＦＥＴ）であって、
ＩＩＩ−Ｖ化合物半導体基板と、
前記ＩＩＩ−Ｖ化合物半導体基板上のエピタキシャル層構造であって、チャネル層及び少なくとも１つのドープ層を含む前記エピタキシャル層構造と、
前記エピタキシャル層構造上のゲート酸化膜層と、
前記ゲート酸化膜層上の金属ゲート電極と、
前記エピタキシャル層構造上のソース及びドレイン・オーミックコンタクトと、からなり、
少なくとも１層のドープ層として、同じドーパント・タイプのイオン注入をしたソースとドレイン領域を有しない、ＥＭＯＳＦＥＴ。
【請求項２】
注入フリーエンハンスメントモード金属酸化膜半導体電界効果トランジスタ（ＥＭＯＳＦＥＴ）を組み立てるための方法であって、
ＩＩＩ−Ｖ化合物半導体基板を提供する段階と、
前記ＩＩＩ−Ｖ化合物基板上に第１厚さのエピタキシャル層構造を成長する段階と、
前記第１厚さの前記エピタキシャル層構造にドープして、前記第１厚さの前記エピタキシャル層構造内にドープ層を形成する段階と、
前記エピタキシャル層構造を第２厚さに成長する段階と、
前記エピタキシャル層構造上にゲート酸化膜層を形成する段階と、
前記エピタキシャル層構造上にソース及びドレイン・オーミックコンタクトを形成する段階と、
前記ゲート酸化膜層上に金属ゲート電極を形成する段階と、からなり、
ドープ層として同じドーパント・タイプのイオンを注入したソースとドレインの領域を形成せずに作製する、方法。
【請求項３】
エンハンスメントモード金属酸化膜半導体電界効果トランジスタ（ＥＭＯＳＦＥＴ）であって、
ＩＩＩ−Ｖ化合物半導体基板と、
前記ＩＩＩ−Ｖ化合物半導体基板上のエピタキシャル層構造であって、チャネル層及び少なくとも１つのデルタドープ層を含む前記エピタキシャル層構造と、
前記エピタキシャル層構造上のゲート酸化膜層と、
前記ゲート酸化膜層上の金属ゲート電極であって、仕事関数を有する前記金属ゲート電
極と、
前記エピタキシャル層構造上のソース及びドレイン・オーミックコンタクトであって、前記金属ゲート電極は、仕事関数を有するように選択され、前記デルタドープ層は、エンハンスメントモード動作が実現されるように選択される前記ソース及びドレイン・オーミックコンタクトと、
が含まれるＥＭＯＳＦＥＴ。
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
個体におけるタキソール誘発性感覚性ニューロパシーを処置するための組成物であって、有効量の抗−ｔｒｋＣアゴニスト抗体を含む、組成物。
【請求項２】
前記抗−ｔｒｋＣアゴニスト抗体が、ヒトｔｒｋＣに結合する、請求項１に記載の組成物。
【請求項３】
前記抗−ｔｒｋＣアゴニスト抗体が、ヒトｔｒｋＣと齧歯類ｔｒｋＣに結合する、請求項１に記載の組成物。
【請求項４】
前記抗−ｔｒｋＣアゴニスト抗体が、ｔｒｋＣのドメイン４中のエピトープに結合する、請求項１に記載の組成物。
【請求項５】
前記抗−ｔｒｋＣアゴニスト抗体が、ヒト抗体である、請求項１に記載の組成物。
【請求項６】
前記抗−ｔｒｋＣアゴニスト抗体が、ヒト化抗体である、請求項１に記載の組成物。
【請求項７】
前記抗体が、モノクローナル抗体である、請求項１に記載の組成物。
【請求項８】
前記組成物が、タキソール誘発性のニューロパシーの痛みの処置に適している、請求項１に記載の組成物。
【請求項９】
前記ニューロパシーの痛みが、異痛を含む、請求項８に記載の組成物。
【請求項１０】
タキソール誘発性感覚性ニューロパシーを処置するための薬学的組成物であって、有効量の抗−ｔｒｋＣアゴニスト抗体および薬学的に受容されるキャリアを含む、組成物。
【請求項１１】
タキソール誘発性感覚性ニューロパシーを処置するためのキットであって、抗−ｔｒｋＣアゴニスト抗体と、該抗−ｔｒｋＣアゴニスト抗体を使用してタキソール誘発性感覚性ニューロパシーを処置するための使用説明書とを含む、キット。
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
アルコールからの結晶化による1-[tert-ブチル-1-p-トリル-1H-ピラゾール-5-イル]-3-[4-(2-モルホリン-4-イル-エトキシ)ナフタレン-1-イル]-尿素(1)の多形体の改良された調製方法であって、その改良点はクルードな(1)をエタノールで処理することにある、上記方法。
【請求項２】
クルードな(1)が、0℃〜80℃の温度においてエタノールで処理される、請求項１に記載の方法。
【請求項３】
1重量部のクルードな(1)が2〜50重量部のエタノールで処理される、請求項１または２のいずれか１項に記載の方法。
【請求項４】
以下の工程を含む、請求項１から３のいずれか１項に記載の方法：
(a) クルードな(1)をエタノールで溶解する工程、
(b) (1)の純粋な多形体の種結晶を加える工程
(c) (1)の純粋な多形体を結晶化する工程、
(d) 結晶化がほとんど完了するまで水を加える工程、
(e) (1)の純粋な多形体を分離する工程、および
(f) 得られた(1)の純粋な多形体を必要により水で洗浄し、そして高温および/または減圧下で乾燥する工程。
【請求項５】
以下の工程を含む、請求項１から４のいずれか１項に記載の方法：
(i) 1モルの第二アミンおよびDMSOと酢酸エチルからなる溶剤の存在下において、1.01〜1.1モルの4-アミノ-1-(2-モルホリノエトキシ)ナフタレン(2)を1モルの5-(2,2,2-トリクロロエトキシカルボニル)アミノ-3-tert-ブチル-1-p-トリルピラゾール(3)で処理する工程、
(ii) クルードな(1)を単離する工程；
(iii) クルードな(1)を酢酸エチルで洗浄する工程；
(iv) 残渣をエタノールで処理する工程。
【請求項６】
前記(1)の純粋な多形体が、40kV、30mAで作動されるCuKα線(λ=1.5418Å)を使用するX線粉末回析計を使用して分析される以下のX線粉末回析パターン(XRPD)を特徴とする、請求項１から５のいずれか１項に記載の方法。
2006513185.tif 000001
【請求項７】
請求項１から６のいずれか１項に記載の方法に従ってエタノールで処理することによりクルードな(1)から得ることが可能な1-[tert-ブチル-1-p-トリル-1H-ピラゾール-5-イル]-3-[4-(2-モルホリン-4-イル-エトキシ)ナフタレン-1-イル]-尿素(1)の実質的に純粋な多
形体。
【請求項８】
少なくとも１つの医薬賦形剤と組み合わされた有効量の請求項７に記載の実質的に純粋な(1)の多形体1を含む医薬組成物。
【請求項９】
炎症性疾患を治療するための、請求項７に記載の実質的に純粋な(1)の多形体。
【請求項１０】
炎症性疾患の治療用の薬剤を調製するための、請求項７に記載の実質的に純粋な(1)の多形体の使用。
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
６５％未満の気孔率を有するセラミック繊維複合材の製造方法であって、
セラミック繊維を含む成分からグリーン基材を形成する工程、
水と、ナノクレーと、セラミック前駆体材料またはセラミック材料の少なくとも一方とを含む第１の含浸用分散液を前記グリーン基材に含浸させて、含浸基材を提供する工程、
前記含浸基材を乾燥させて、乾燥された基材を提供する工程、
前記乾燥された基材を仮焼して、仮焼された基材を形成する工程、および
前記仮焼された基材を焼成して、少なくとも部分的にセラミックのバインダーによって互いに結合されたセラミック繊維を含むセラミック繊維複合材を形成する工程、
を含む方法。
【請求項２】
少なくとも部分的にセラミックのバインダーによって互いに結合されたセラミック繊維を含むセラミック繊維複合材であって、前記少なくとも部分的にセラミックのバインダーが化学的に安定化されたβ−クリストバライトを含み、前記セラミック繊維複合材の気孔率が６５％未満であるセラミック繊維複合材。
【請求項３】
請求項２に記載のセラミック繊維複合材を含むバーナー。
【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
プラズマ中にイオンさやを形成して非導電性基材上にフィルムを堆積するためのものであって、
外側表面を有する管状反応チャンバ（５６）と、
第１の幅を有し、螺旋状に巻き付けて、前記管状反応チャンバの前記外側表面周囲に複数の第１のラップを与える第１の電極（６０）と、
前記第１の幅より大きい第２の幅を有し、螺旋状に巻き付けて、前記管状反応チャンバの前記外側表面周囲に前記第１のラップと交互の複数の第２のラップを与える第２の電極（５８）とを含み、
プラズマ中のイオンさやが、非導電性基材のイオン衝撃のために、前記第１の電極が無線周波数電源に接続され、前記第２の電極が接地のための経路を提供するときに、少なくとも長手軸に前記管状反応チャンバへ延在する厚さまで形成されて前記フィルムを前記基材上に堆積させる、装置。
【請求項２】
前記管状反応チャンバがガラス製の管状反応チャンバである、請求項１に記載の装置。
【請求項３】
前記非導電性基材が繊維状基材である、請求項１に記載の装置。
【請求項４】
前記繊維状基材が光ガラスファイバ（１２）である、請求項３に記載の装置。
【手続補正２】
【補正対象書類名】明細書
【補正対象項目名】発明の名称
【補正方法】変更
【補正の内容】
【発明の名称】基材上にフィルムを堆積する装置
【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
コンピュータシステムであって、
少なくとも１つのプロセッサと、
前記少なくとも１つのプロセッサを制御ブロックおよびメモリバスに結合するためのコントローラと、
前記メモリバスに結合された複数のメモリモジュールスロットと、
前記複数のメモリモジュールスロットのサブセットに関連付けられるアダプタポートと、
前記アダプタポートに結合されるクラスタ相互接続ファブリックとを含み、
前記複数のメモリモジュールスロットと直接接続することによって制御情報が前記アダプタポートとの間でやりとりされる、コンピュータシステム。
【請求項２】
前記コントローラはインタリーブされたメモリコントローラを含む、請求項１に記載のコンピュータシステム。
【請求項３】
前記複数のメモリモジュールスロットはＤＩＭＭメモリモジュールスロットを含む、請求項１に記載のコンピュータシステム。
【請求項４】
前記アダプタポートは、前記ＤＩＭＭメモリモジュールスロットのうちの１つの内部における保持のためのＤＩＭＭ物理フォーマットを含む、請求項３に記載のコンピュータシステム。
【請求項５】
前記複数のメモリモジュールスロットはランバスフォーマットメモリモジュールスロットを含む、請求項１に記載のコンピュータシステム。
【請求項６】
前記アダプタポートは、前記ＲＩＭＭメモリモジュールスロットのうちの１つの内部における保持のためのランバス物理フォーマットを含む、請求項５に記載のコンピュータシステム。
【請求項７】
前記制御ブロックは、
周辺バス制御ブロックと、
グラフィックス制御ブロックと、
システムメンテナンス制御ブロックと、のうちの少なくとも１つを含む、請求項１に記載のコンピュータシステム。
【請求項８】
前記アダプタポートは、前記メモリバスからデータ情報を受信するよう適合されたメモリバスデータマルチプレクサを含む、請求項１に記載のコンピュータシステム。
【請求項９】
前記アダプタポートはさらに、
前記メモリバスからアドレス情報を受信するよう適合されたアドレスおよびコマンドデコーダと、
前記クラスタ相互接続ファブリックに結合されたプロセッサ要素に前記メモリバスから受信した前記データ情報を結合するための書込バッファ、および、前記プロセッサ要素によって供給されるデータを前記メモリバスに結合するための読出バッファと、
のうちの少なくとも１つを含む、請求項８に記載のコンピュータシステム。
【請求項１０】
書込バッファを含む場合、前記システムは、
前記書込バッファを前記プロセッサ要素に結合するためのパケット化装置と、
前記プロセッサ要素を前記読出バッファに結合するための非パケット化装置とをさらに含む、請求項９に記載のコンピュータシステム。
【請求項１１】
前記メモリバスデータマルチプレクサに結合された複数のレジスタをさらに含む、請求項８に記載のコンピュータシステム。
【請求項１２】
前記複数のレジスタは、
構成レジスタと、
状態レジスタと、のうちの少なくとも１つを含む、請求項１１に記載のコンピュータシステム。
【請求項１３】
前記クラスタ相互接続ファブリックに結合されたプロセッサ要素に前記アドレスおよびコマンドデコーダを結合するコマンドフォーマッタをさらに含む、請求項９に記載のコンピュータシステム。
【請求項１４】
前記クラスタ相互接続ファブリックに結合された再構成可能なプロセッサ要素と、
前記メモリバス上において前記コントローラから受信したデータを変更するよう動作する、前記クラスタ相互接続ファブリックに結合されたプロセッサ要素と、
変更されたデータを前記メモリバス上に配置する前に、外部ソースから受信したデータを変更するよう動作する、前記クラスタ相互接続ファブリックに結合されたプロセッサ要素と、
前記クラスタ相互接続ファブリックに結合される制御ブロックと、のうちの少なくとも１つをさらに含む、請求項１に記載のコンピュータシステム。
【請求項１５】
前記クラスタ相互接続ファブリックに結合される制御ブロックを含む場合、前記制御ブロックはさらに、
前記アダプタポート上における識別されたアルゴリズムと、前記アダプタポートによって供給されるオペランドとを実行するよう構成可能な少なくとも１つのフィールドプログラマブルゲートアレイを含む、請求項１４に記載のコンピュータシステム。
【請求項１６】
前記アダプタポートに結合された制御ブロックを前記少なくとも１つのフィールドプログラマブルゲートアレイに結合するデュアルポートメモリブロックをさらに含む、請求項
１５に記載のコンピュータシステム。
【請求項１７】
前記クラスタ相互接続ファブリックに結合されるチェーンポートをさらに含む、請求項１に記載のコンピュータシステム。
【請求項１８】
前記制御ブロックは、それに構成情報を供給するための読出専用メモリをさらに含む、請求項１７に記載のコンピュータシステム。
【請求項１９】
前記クラスタ相互接続ファブリックに結合されたプロセッサ要素をさらに含む、請求項１に記載のコンピュータシステム。
【手続補正書】
【提出日】平成18年12月4日(2006.12.4)
【手続補正１】
【補正対象書類名】特許請求の範囲
【補正対象項目名】請求項１
【補正方法】変更
【補正の内容】
【請求項１】
符号化ビットの最大数Ｎｍａｘが、デジタル音声信号フレームにしたがって計算できるパラメータ群について定められ、前記パラメータ群は第１のサブ群と第２のサブ群から構成される、前記デジタル音声信号フレーム（Ｓ）をバイナリの出力シーケンス（Φ）として符号化する方法であって、
前記第１のサブ群のパラメータを計算し、これらのパラメータをＮ０＜Ｎｍａｘとなるような符号化ビットの数Ｎ０だけ符号化するステップと、
前記第２のサブ群のパラメータに対するＮｍａｘ−Ｎ０個の符号化ビットの割当を決定するステップと、
前記第２のサブ群のパラメータに割当られた前記Ｎｍａｘ−Ｎ０個の符号化ビットを定められた順序でランク付けするステップと、
を含み、
前記Ｎｍａｘ−Ｎ０個の符号化ビットの割当および／またはランク付けの順序が前記第１のサブ群の符号化されたパラメータの関数として決定され、前記パラメータ群の符号化のために使用可能な前記バイナリの出力シーケンスの、Ｎ０＜Ｎ≦Ｎｍａｘである、ビット数Ｎを示すことに応答して、さらに、
前記順序において１番目にランク付けされた前記Ｎ−Ｎ０個の符号化ビットが割当られた前記第２のサブ群のパラメータを選択するステップと、
前記第２のサブ群の前記選択されたパラメータを計算し、１番目にランク付けされた前記Ｎ−Ｎ０個の符号化ビットを生成するようにこれらのパラメータを符号化するステップと、
前記第１のサブ群のＮ０個の符号化ビットと前記第２のサブ群の前記選択されたパラメータのＮ−Ｎ０個の符号化ビットを前記出力シーケンスに挿入するステップと、
を有する方法。
【手続補正２】
【補正対象書類名】特許請求の範囲
【補正対象項目名】請求項１６
【補正方法】変更
【補正の内容】
【請求項１６】
符号化ビットの最大数Ｎｍａｘが信号フレームを記述するためのパラメータ群について規定され、前記パラメータ群は第１のサブ群と第２のサブ群で構成され、バイナリの入力シーケンスが、１つの信号フレームあたり、前記パラメータ群につき、Ｎ'≦ＮｍａｘであるＮ'個の符号化ビットを含む、前記バイナリの入力シーケンス（Φ'）を、デジタル音声信号
【数１】
2006513457.tif 000001
を合成するように復号する方法であって、
Ｎ０＜Ｎ'の場合、前記入力シーケンスの前記Ｎ'個のビットから、前記第１のサブ群のパラメータの符号化ビットの数Ｎ０を抽出するステップと、
抽出された前記Ｎ０個の符号化ビットに基づいて、前記第１のサブ群のパラメータを回復するステップと、
前記第２のサブ群のパラメータ対するＮｍａｘ−Ｎ０個の符号化ビットの割当を決定するステップと、
前記第２のサブ群のパラメータに割当られたＮｍａｘ−Ｎ０個の符号化ビットを定められた順序でランク付けするステップと、
を含み、
前記Ｎｍａｘ−Ｎ０個の符号化ビットの前記割当および／または前記ランク付けの順序は、前記第１のサブ群の回復されたパラメータの関数として決定され、さらに
前記順序において１番目にランク付けされた前記Ｎ'−Ｎ０個の符号化ビットが割当られた前記第２のサブ群のパラメータを選択するステップと、
前記入力シーケンスの前記Ｎ'個のビットから、前記第２のサブ群の選択されたパラメータのＮ'−Ｎ０個の符号化ビットを抽出するステップと、
前記抽出されたＮ'−Ｎ０個の符号化ビットに基づいて、前記第２のサブ群の選択されたパラメータを回復するステップと、
前記第１のサブ群と第２のサブ群の回復されたパラメータを用いることによって、前記信号フレームを合成するステップと、
有する方法。
【手続補正３】
【補正対象書類名】特許請求の範囲
【補正対象項目名】請求項２０
【補正方法】変更
【補正の内容】
【請求項２０】
前記第２のサブ群のパラメータに割当られた符号化ビットのランク付けの順序は、前記第１のサブ群の回復された符号化パラメータの関数として少なくとも１つの心理音響的規準の助けにより決定される、請求項１９記載の方法。
【手続補正４】
【補正対象書類名】特許請求の範囲
【補正対象項目名】請求項２６
【補正方法】変更
【補正の内容】
【請求項２６】
前記第１のサブ群の前記符号化ビットは、前記符号化器カーネル（２１）の入力パラメータの前記符号化ビットの直後に前記のより高い周波数帯域に関連するエネルギーレベルの符号化ビットが来るように、前記入力シーケンス中で順序付けされる、請求項２２または２５に記載の方法。
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
少なくとも第１および第２の光学フィルムの積層体を含み、前記第１および第２の光学フィルムが、積層体表示領域を形成するように整列している第１および第２の表示領域をそれぞれ有し、前記第１および第２の光学フィルム間のゼロギャップ接合部が、前記第１および第２の表示領域の外側であって前記第１および第２の表示領域以外に配置されている、ディスプレイ内の光を調節するための光調節フィルムパッケージ。
【請求項２】
第１の表面を有する第１の光学フィルムと、
前記第１の光学フィルム上に配置された第２の光学フィルムと
を含み、前記第２の光学フィルムが、ゼロギャップフィルム接合部で前記第１の光学フィルムの前記第１の表面に接合された第１の表面を有し、前記第２の光学フィルムの中心表示領域が、前記第１の光学フィルムに対して未接合のままである、ディスプレイ内の光を調節するための光調節フィルムパッケージ。
【請求項３】
前記第１および第２の光学フィルムが各々、それぞれの表示領域の外側に、それぞれ少なくとも１つの周辺タブを有し、前記第１および第２の光学フィルムの少なくとも１つの周辺タブ同士が位置合わせされているとともに接着されて、前記ゼロギャップ接合部を形成している、請求項１又は２のいずれかに記載のフィルムパッケージ。
【請求項４】
前記ゼロギャップ接合部が、前記第１および第２の光学フィルム間の熱接合部であり、超音波溶着、レーザ溶着、ホットプレス又は熱気噴射のうち１つによって形成される、請求項１〜３のいずれか１つに記載のフィルムパッケージ。
【請求項５】
前記ゼロギャップ接合部が、前記第１および第２の光学フィルム間の化学的接合部である、請求項１〜４のいずれか１つに記載のフィルムパッケージ。
【請求項６】
前記第１の光学フィルムが、前記第２の光学フィルムに向けられたプリズム状構造化表面を有するプリズム状の光配向フィルムである、請求項１〜５のいずれか１つに記載のフィルムパッケージ。
【請求項７】
第３の表示領域を有する第３の光学フィルムをさらに含み、前記第２および第３の光学フィルム間のゼロギャップ接合部が、前記第２および第３の表示領域の外側に配置されている、請求項１〜６のいずれか１つに記載のフィルムパッケージ。
【請求項８】
照明ユニットと、
ディスプレイユニットと、
前記照明ユニットと前記ディスプレイユニットとの間に配置されて前記照明ユニットから前記ディスプレイユニットへ透過する光を調節する、請求項１に記載の光調節ユニットと
を含むディスプレイシステム。
【請求項９】
照明ユニットと、
ディスプレイユニットと、
前記照明ユニットと前記ディスプレイユニットとの間に配置されて前記照明ユニットから前記ディスプレイユニットへ透過する光を調節する、請求項２に記載の光調節ユニットと
を含むディスプレイシステム。
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
第１の長辺および該第１の長辺に対向する第２の長辺を含む本体と、
前記本体内に配置される複数のプロセスチャンバーであって、前記プロセスチャンバーの各々が、前記本体の前記第１の長辺と前記第２の長辺との間に延在する主空隙を含む、プロセスチャンバーと、
前記複数のプロセスチャンバーの各々に入る分配チャンネルであって、前記本体の前記第１の長辺に最も近いプロセスチャンバーに入る、分配チャネルと、
前記プロセスチャンバーの各々の側壁に形成され、前記本体の前記第１の長辺と前記第２の長辺との間に延在するバイパススロットであって、前記プロセスチャンバーの前記主空隙から遠位の位置で前記本体の前記第１の長辺に最も近い分配チャンネル内で開口する、パイパススロットと、
を含む、試料処理装置。
【請求項２】
第１の長辺および該第１の長辺に対向する第２の長辺を含む本体と、
前記本体内に配置される複数のプロセスチャンバーであって、前記プロセスチャンバーの各々が、前記本体の前記第１の長辺と前記第２の長辺との間に延在する主空隙を含む、プロセスチャンバーと、
前記複数のプロセスチャンバーの各々に入る分配チャンネルであって、前記本体の前記第１の長辺に最も近いプロセスチャンバーに入る、分配チャネルと、
前記プロセスチャンバーの各々の側壁に形成され、前記本体の前記第１の長辺と前記第２の長辺との間に延在するバイパススロットであって、前記プロセスチャンバーの前記主空隙から遠位の位置で前記本体の前記第１の長辺に最も近い分配チャンネル内で開口する、パイパススロットと、
を含む、試料処理装置であって、
前記バイパススロットが、前記プロセスチャンバーの縦軸に直交する平面内で画定される断面積を含み、かつ前記バイパススロットの前記断面積が、前記バイパススロットが前記分配チャンネル内で開口する位置において最大であり、
さらに前記バイパススロットが、前記本体の前記第１の長辺から遠位の終結点を含み、さらに前記バイパススロットの前記終結点は、前記本体の前記第２の長辺から間隔をあけている、試料処理装置。
【請求項３】
請求項１に記載の試料処理装置を用意する工程と、
前記試料処理装置の複数のプロセスチャンバーのうちの少なくとも１つのプロセスチャンバー内に流体試料物質を充填する工程と、
前記流体試料物質によって充填された少なくとも１つのプロセスチャンバー内に器具を挿入する工程と、
を含む、プロセスチャンバー内に位置する試料物質の処理方法。
【請求項４】
請求項２に記載の試料処理装置を提供する工程と、
前記試料処理装置の複数のプロセスチャンバーのうちの少なくとも１つのプロセスチャンバー内に流体試料物質を充填する工程と、
前記流体試料物質によって充填された少なくとも１つのプロセスチャンバー内に器具を挿入する工程と、
を含む、プロセスチャンバー内に位置する試料物質の処理方法。
【手続補正２】
【補正対象書類名】明細書
【補正対象項目名】００３３
【補正方法】変更
【補正の内容】
【００３３】
また図２に示されるように、バイパススロット８０は、主空隙７０の側壁７４に形成される。バイパススロット８０は、本体２０の第１の長辺２２と第２の長辺２４との間に延在するが、第１の長辺２２と第２の長辺２４との間の距離の全てにわたって延在しなくてもよい。しかしながら、バイパススロット８０は、プロセスチャンバー５０の主空隙７０から遠位の位置で本体２０の第１の長辺２２に最も近い分配チャンネル６０中に開放する。
【手続補正３】
【補正対象書類名】明細書
【補正対象項目名】００３６
【補正方法】変更
【補正の内容】
【００３６】
あるいは、バイパススロット８０は、バイパススロット８０が分配チャンネル６０内で開口する位置において最大である断面積（プロセスチャンバー５０の縦軸５１に直交する平面内で画定される）を有し、本体２０の第１の長辺２２から第２の長辺２４に向かってバイパススロット８０の断面積が滑らかに減少することを特徴とする。バイパススロット８０は、線形の様式で減少するように図示されるが、バイパススロット８０のプロファイルは、滑らかな曲線、例えば、放物線等であってもよい。
【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
ディスプレイ・ユニット及びコントロール・ユニットを有し、前記ディスプレイ・ユニットは、その面積が変動する表示部を具え、前記コントロール・ユニットは、表示される時間の分単位に対応して前記表示部の面積を変える機能を有し、且つ、前記又は追加的コントロール・ユニットが、表示される時間の時間単位のみに対応して、前記表示部の面積を変えることなく、前記表示部の外観を変える機能を有し、また、前記ディスプレイ・ユニットはカラーディスプレイを有し、前記コントロール・ユニットは、表示される時間の時間単位のみに対応して前記表示部の色を変える機能を有する、時刻表示装置。
【請求項２】
前記表示部が全体として矩形の棒状であり、前記コントロール・ユニットが表示される時間の分単位に対応して前記棒の長さを変える機能を有する、請求項１の時刻表示装置。
【請求項３】
前記表示部が環状のセグメント形状を有し、前記コントロール・ユニットが表示される時間の分単位に対応して前記表示部の円周の大きさを変える機能を有する、請求項１の時刻表示装置。
【請求項４】
前記表示部が円形のセグメント形状を有し、前記コントロール・ユニットが表示される時間の分単位に対応してセグメントに対する角度を変える機能を有する、請求項１の時刻表示装置。
【請求項５】
表示される時間の分単位の値が増えるに伴って、前記コントロール・ユニットが前記表示部の面積を大きくする機能を有する、請求項１の時刻表示装置。
【請求項６】
その一部が前記表示部を構成する前記ディスプレイ・ユニットが、液晶ディスプレイを含む、請求項１の時刻表示装置。
【請求項７】
ディスプレイ・ユニット及びコントロール・ユニットを有し、前記ディスプレイ・ユニットは、面積が変動する表示部を具え、前記コントロール・ユニットは、表示される時間の分単位に対応して前記表示部の面積を変える機能を有し、さらに、前記又は追加的コントロール・ユニットが、表示される時間の時間単位のみに対応して、前記表示部の面積を変えることなく、該表示部の外観を変える機能を有し、また、前記ディスプレイ・ユニットはカラーディスプレイを有し、前記コントロール・ユニットは表示される時間の時間単位のみに対応して前記表示部の色を変える機能を有する、時計。
【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
無線多元入力多元出力（ＭＩＭＯ）通信システムにおいて、ステアリングされた参照値に基づいて整合フィルタを導出する方法であって、該方法は下記を具備する：
ＭＩＭＯ第１リンクを介して受信されそして複数のステアリング・ベクトルに基づいて発生されたステアリングされた参照値に関する複数の組の受信されたシンボルを取得すること；及び
複数の組の受信されたシンボルに基づいて整合フィルタを導出すること、ここにおいて、整合フィルタは複数のステアリング・ベクトルに対応する複数の固有ベクトルを含む。
【請求項２】
複数の組の受信されたシンボルの各々は、複数のステアリング・ベクトルの１つに基づいて発生されたステアリングされた参照シンボルに対してである、請求項１記載の方法。
【請求項３】
整合フィルタの複数の固有ベクトルは、互いに直交する、請求項１記載の方法。
【請求項４】
整合フィルタの複数の固有ベクトルは、ＱＲ因数分解を使用して直交化される、請求項３記載の方法。
【請求項５】
複数の組の受信されたシンボルに基づいて複数のステアリング・ベクトルに関係付けられた利得を推定すること；及び
推定された利得に基づいて複数の固有ベクトルを順番に並べること、
を更に具備する、請求項４記載の方法。
【請求項６】
整合フィルタの複数の固有ベクトルは、最小二乗誤差計算を使用して直交化される、請求項３記載の方法。
【請求項７】
整合フィルタの複数の固有ベクトルは、極分解を使用して直交化される、請求項３記載の方法。
【請求項８】
ステアリングされた参照値は、複数のフレームにわたり受信される、請求項１記載の方法。
【請求項９】
整合フィルタを使用してＭＩＭＯ第１リンクを介して受信されたデータ送信の整合フィルタリングを実行すること、
を更に具備する、請求項１記載の方法。
【請求項１０】
複数の組の受信されたシンボルに基づいて複数のスケーリングされたベクトルを決定すること、ここにおいて、複数のスケーリングされたベクトルの各々は、複数のステアリング・ベクトルのそれぞれ１つに対応する；及び
ここにおいて、複数の固有ベクトルを導出することは、複数のスケーリングされたベクトルに基づいて導出することを備える、
を更に具備する、請求項１記載の方法。
【請求項１１】
複数のスケーリングされたベクトルの各々は、対応するステアリング・ベクトルに基づいて発生された少なくとも１つのステアリングされた参照シンボルに対する少なくとも１組の受信されたシンボルに基づいて決定される、請求項１０記載の方法。
【請求項１２】
複数の固有ベクトルは、ＭＩＭＯ第２リンク上でのデータ送信に対する空間処理のために使用される、請求項１記載の方法。
【請求項１３】
ＭＩＭＯ通信システムにおいて、ＭＩＭＯ第１リンクは上り方向リンクであり、そしてＭＩＭＯ第２リンクは下り方向リンクである、請求項１２記載の方法。
【請求項１４】
ＭＩＭＯ通信システムは、直交周波数分割多重化（ＯＦＤＭ）を利用する、及びここにおいて、複数の固有ベクトルは、複数のサブバンドの各々に対して導出される、請求項１記載の方法。
【請求項１５】
無線多元入力多元出力（ＭＩＭＯ）通信システムにおける装置であって、該装置は下記を具備する：
複数のスケーリングされたベクトルを供給するためにステアリングされた参照値に関する複数の組の受信されたシンボルを処理するために適切に作用する受信空間プロセッサ、ここにおいて、ステアリングされた参照値は、ＭＩＭＯ第１リンクを介して受信されそして複数のステアリング・ベクトルに基づいて発生される、及びここにおいて、複数のスケーリングされたベクトルの各々は、複数のステアリング・ベクトルのそれぞれ１つに対応する；及び
複数のスケーリングされたベクトルに基づいて複数の固有ベクトルを導出するために適切に作用するコントローラ、及び
ここにおいて、受信空間プロセッサは、更に複数の固有ベクトルを使用してＭＩＭＯ第１リンクを介して受信された第１のデータ送信の整合フィルタリングを実行するために適切に作用する。
【請求項１６】
コントローラは、更に複数のスケーリングされたベクトルに基づいて特異値を推定するために適切に作用する、そして複数の固有ベクトル及び推定された特異値に基づいてＭＩＭＯ第１リンクに対する整合フィルタを導出するために適切に作用する、請求項１５記載の装置。
【請求項１７】
複数の固有ベクトルは互いに直交する、請求項１５記載の装置。
【請求項１８】
コントローラは、複数の固有ベクトルを取得するために複数のスケーリングされたベクトルにＱＲ因数分解、極分解、又は最小二乗誤差計算を実行するために適切に作用する、請求項１７記載の装置。
【請求項１９】
複数の固有ベクトルを使用してＭＩＭＯ第２リンク上で第２のデータ送信に対する空間処理を実行するために適切に作用するＴＸ空間プロセッサ、
を更に具備する、請求項１５記載の装置。
【請求項２０】
ＭＩＭＯ通信システムは、直交周波数分割多重化（ＯＦＤＭ）を利用し、そしてここにおいて、複数の固有ベクトルは、複数のサブバンドの各々に対して導出される、請求項１５記載の装置。
【請求項２１】
無線多元入力多元出力（ＭＩＭＯ）通信システムにおける装置であって、該装置は下記を具備する：
ＭＩＭＯ第１リンクを介して受信されそして複数のステアリング・ベクトルに基づいて発生されたステアリングされた参照値に関する複数の組の受信されたシンボルに基づいて複数のスケーリングされたベクトルを決定するための手段、ここにおいて、複数のスケーリングされたベクトルの各々は複数のステアリング・ベクトルのそれぞれ１つに対応する；及び
複数のスケーリングされたベクトルに基づいて複数の固有ベクトルを導出するための手段、ここにおいて、複数の固有ベクトルは空間処理のための使用に適している。
【請求項２２】
複数の固有ベクトルを使用してＭＩＭＯ第１リンクを介して受信された第１のデータ送信の整合フィルタリングを実行するための手段、
を更に具備する、請求項２１記載の装置。
【請求項２３】
複数の固有ベクトルを使用してＭＩＭＯ第２リンク上で第２のデータ送信に対する空間処理を実行するための手段、
を更に具備する、請求項２１記載の装置。
【請求項２４】
複数の固有ベクトルは互いに直交する、請求項２１記載の装置。
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
制御チャネルとして物理的共有チャネルを使用するシステムにおいて、
単位チャネルを利用して１つの共有チャネルを時間及び直交コードへと同時に多重化することにより、制御チャネルが割り当てられる、下り制御チャネルの割り当て方法。
【請求項２】
前記単位チャネルの長さが、最初に生成された単位アダマール符号の長さにより決定される、請求項１に記載の方法。
【請求項３】
前記単位アダマール符号の長さが、使用可能な直交コードの数と伝送チャネルの特性により決定される、請求項２に記載の方法。
【請求項４】
前記単位アダマール符号が、シルベスター（Ｓｙｌｖｅｓｔｅｒ）方法により新しいアダマール符号に拡張される、請求項２に記載の方法。
【請求項５】
前記拡張されたアダマール符号の長さが、単位アダマール符号の長さの整数倍である、請求項４に記載の方法。
【請求項６】
１つの伝送区間で共有チャネルを複数の単位チャネルへと多重化することと、
伝送される制御情報のサイズによって前記多重化された単位チャネルに可変直交コードチャネルを割り当てることと、
前記割り当てられた可変直交コードチャネルで制御情報を伝送することと、
を含む、下り制御チャネルの割り当て方法。
【請求項７】
前記単位チャネルが、制御チャネルの基本割り当て単位である、請求項６に記載の方法。
【請求項８】
前記単位チャネルの長さが、最初に生成された単位アダマール符号の長さにより決定される、請求項６に記載の方法。
【請求項９】
前記単位アダマール符号の長さが、使用可能な直交コードの数と伝送チャネルの特性により決定される、請求項８に記載の方法。
【請求項１０】
前記単位アダマール符号が、シルベスター方法により新しいアダマール符号に拡張される、請求項８に記載の方法。
【請求項１１】
前記可変直交コードチャネルが、単位アダマール符号チャネル又は前記単位アダマール符号チャネルから拡張されたアダマール符号チャネルである、請求項６に記載の方法。
【請求項１２】
前記拡張されたアダマール符号の長さが、単位アダマール符号の長さの整数倍である、請求項１１に記載の方法。
【請求項１３】
前記１つの単位チャネルに単位アダマール符号チャネルが割り当てられるか、又は、いくつかの単位チャネルに１つの拡張されたアダマール符号チャネルが割り当てられる、請求項１１に記載の方法。
【請求項１４】
端末から伝送されたシグナリング情報をグループに分類することと、
前記分類された各グループに直交コードチャネルを割り当てることと、
前記割り当てられた各直交コードチャネルの送信電力を個別に制御することと、
を包含する、チャネル電力制御方法。
【請求項１５】
前記直交コードチャネルが、アダマール符号である、請求項１４に記載の方法。
【請求項１６】
前記アダマール符号が、単位アダマール符号又は拡張されたアダマール符号である、請求項１５に記載の方法。
【請求項１７】
前記拡張されたアダマール符号が、単位アダマール符号をシルベスター方法により拡張したコードである、請求項１６に記載の方法。
【請求項１８】
前記シグナリング情報が、上位レイヤの制御情報により分類される、請求項１４に記載の方法。
【請求項１９】
前記各コードチャネルの電力が、上り送信電力又は送信電力マージンにより制御されることを特徴とする請求項１４に記載の方法。
【請求項２０】
低い電力又は高い伝送率を要求するグループには短いアダマール符号チャネルが割り当てられ、高い電力又は低い伝送率を要求するグループには長いアダマール符号チャネルが割り当てられる、請求項１４に記載の方法。
【請求項２１】
高い信号対雑音比（ＳＮＲ）及び低い伝送率を要求するチャネルが優先的に長いアダマール符号チャネルに割り当てられる、請求項１４に記載の方法。
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
並列に接続されている少なくとも２つの基本的な増幅器を備えている、可変の利得係数を有する増幅器装置において、
各基本的な増幅器は、機能的に専らそれぞれの入力側に対応付けられている固有の電流制限手段（Ｒ１；Ｒ２，Ｒ３）を有し、該電流制限手段（Ｒ１；Ｒ２，Ｒ３）は前記基本的な増幅器のうちの１つを選択的に起動させるために切り換え手段（Ｓ１；Ｓ３，Ｓ４）と接続されており、前記電流制限手段（Ｒ１；Ｒ２，Ｒ３）はそれぞれ対応付けられている基本的な増幅器に供給される入力信号を基準化し、該入力信号は少なくとも２つの基本的な増幅器の電流制限手段に並列に供給され、その都度選択された基本的な増幅器に依存せずに実質的に同一であり続ける入力インピーダンスが、選択的に起動された基本的な増幅器にそれぞれ対応付けられている前記電流制御手段（Ｒ１；Ｒ２，Ｒ３）によってセットされることを特徴とする、増幅器装置。
【請求項２】
少なくとも１つの基本的な増幅器はベース接地トランジスタ回路（Ｔ１；Ｔ２）である、請求項１記載の増幅器回路。
【請求項３】
トランジスタを線形領域で動作させる手段（Ｕ１，Ｊ１；Ｕ２，Ｊ２）が設けられている、請求項２記載の増幅器回路。
【請求項４】
前記手段は電流源（Ｊ１；Ｊ２）を包含する、請求項３記載の増幅器装置。
【請求項５】
前記基本的な増幅器のトランジスタの少なくとも２つのコレクタ接続部は共通の出力側（ＯＵＴ）を形成する、請求項２から４までのいずれか１項記載の増幅器装置。
【請求項６】
前記基本的な増幅器のトランジスタのベース接続部は切り換え手段（Ｓ２；Ｓ５）を介してＤＣ電圧電位（Ｕ１；Ｕ２）に接続可能である、請求項２から５までのいずれか１項記載の増幅器装置。
【請求項７】
前記切り換え手段（Ｓ２；Ｓ５）はスイッチングダイオードおよび／または電子スイッチである、請求項６記載の増幅器装置。
【請求項８】
前記電流制限手段（Ｒ１；Ｒ２，Ｒ３）は抵抗を包含する、請求項１から７までのいずれか１項記載の増幅器装置。
【請求項９】
入力信号の一部は、それぞれの基本的な増幅器と対応付けられている前記電流制限手段（Ｒ２）の１つの素子を介してアースに流れる、請求項１から８までのいずれか１項記載の増幅器装置。
【請求項１０】
それぞれの基本的な増幅器と対応付けられている前記電流制限手段（Ｒ２，Ｒ３）の個々の素子は、該個々の素子が入力信号に対して並列回路を表すように接続されている、請求項１から９までのいずれか１項記載の増幅器装置。
【請求項１１】
各基本的な増幅器の前記電流制限手段（Ｒ２，Ｒ３）の第１の部分および第２の部分を包含する前記並列回路の合成インピーダンスは実質的に同一の値を有する、請求項１０項記載の増幅器装置。
【請求項１２】
請求項１から１１までのいずれか１項記載の増幅器装置を有する、放送無線受信機。
【請求項１３】
請求項１から１１までのいずれか１項記載の増幅器装置を有する、データ信号受信機。
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
製品を搬送し収容しかつ小出しするディスペンサにおいて、
貫通開口を備えた製品プラットフォームと、
先端部および２つの主面を備えそれらの２つの主面のうちの一方の主面の少なくとも一部に接着剤が設けられた接着ストリップと、
貫通開口を備えたベースと、を有し、
前記接着ストリップの先端部は、製品プラットフォームの前記開口および前記ベースの開口を通って前記ベースに取付けられることを特徴とするディスペンサ。
【請求項２】
前記製品プラットフォームおよび前記ベースは、共通軸線の回りで相対回転することを特徴とする請求項１記載のディスペンサ。
【請求項３】
前記製品は、１つ以上の極小亜鉛/空気セルであることを特徴とする請求項１記載のディスペンサ。
【請求項４】
製品ディスペンサから製品を小出しする方法において、
製品プラットフォームと、第一端部および第二端部を備えた接着ストリップに接着された製品と、内部ベースとを設ける段階と、前記プラットフォームおよび前記ベースに開口を設ける段階と、前記ストリップの第一端部を前記プラットフォームの開口および前記ベースの開口に挿通しかつ第一端部を前記ベースに固定する段階と、製品が取付けられたストリップを製品プラットフォームの一表面上に配置する段階と、前記プラットフォームおよび前記ベースが共通軸線の回りで相対回転できるように前記プラットフォームと前記ベースとを結合する段階と、前記製品が前記接着ストリップから解放されるまで、前記ベースに対して前記プラットフォームを回転させる段階とを有することを特徴とする方法。
【請求項５】
前記製品は、前記接着ストリップから製品を剥離することにより接着ストリップから解放されることを特徴とする請求項４記載の方法。
【請求項６】
製品プラットフォームと、第一端部および第二端部を備えた接着ストリップに接着された製品と、内部ベースとを有し、前記プラットフォームおよび前記ベースの各々は開口を備え、前記ストリップは前記開口に挿通されかつ前記ストリップの第一端部は前記ベースに取付けられ、製品が取付けられた前記ストリップは前記製品プラットフォームの一表面上に配置され、前記プラットフォームおよび前記ベースが共通軸線の回りで相対回転できるように前記プラットフォームと前記ベースとが結合されることを特徴とする製品ディスペンサ用の補充キット。
【請求項７】
前記製品は、極小亜鉛/空気セルであることを特徴とする請求項６記載の補充キット。